(57)【要約】  本実施形態に係る通信制御方法は、Ｄ２Ｄ近傍サービスをサポートする移動通信システムに用いられる。当該通信制御方法は、移動が制限された固定型のユーザ端末が在圏するセルを管理する基地局が、省エネルギーのための動作を行う動作ステップと、前記基地局が、前記省エネルギーのための動作を行う場合、前記ユーザ端末が、前記Ｄ２Ｄ近傍サービスにおける動作の消費電力が小さくなるように動作モードを通常モードから省電力モードへ切り替える切替ステップと、を備える。
2015080079.tif 000002
【特許請求の範囲】
【請求項１】
Ｄ２Ｄ近傍サービスをサポートする移動通信システムに用いられる通信制御方法であって、
移動が制限された固定型のユーザ端末が在圏するセルを管理する基地局が、省エネルギーのための動作を行う動作ステップと、
前記基地局が、前記省エネルギーのための動作を行う場合、前記ユーザ端末が、前記Ｄ２Ｄ近傍サービスにおける動作の消費電力が小さくなるように動作モードを通常モードから省電力モードへ切り替える切替ステップと、を備えることを特徴とする通信制御方法。
【請求項２】
前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方であることを特徴とする請求項１に記載の通信制御方法。
【請求項３】
前記動作ステップにおいて、前記基地局は、前記省エネルギーのための動作として、無線信号の送信電力を低減し、
前記切替ステップにおいて、前記ユーザ端末は、前記無線信号の受信電力が閾値以下になった場合、前記通常モードから前記省電力モードへと前記動作モードを切り替えることを特徴とする請求項１に記載の通信制御方法。
【請求項４】
前記動作ステップの前において、前記ユーザ端末が、所定の時間において最大の受信電力となる前記無線信号を送信する前記基地局を指定基地局として設定するステップを備え、
前記切替ステップにおいて、前記ユーザ端末が、前記指定基地局として設定された前記基地局が前記省エネルギーのための動作を行う場合、前記通常モードから前記省電力モードへと前記動作モードを切り替え、
前記通信制御方法は、前記ユーザ端末が、前記基地局からの前記無線信号の受信電力が最大の受信電力でなくなった場合でも、前記基地局を前記指定基地局として維持するステップをさらに備えることを特徴とする請求項３に記載の通信制御方法。
【請求項５】
前記動作ステップにおいて、前記基地局は、前記省エネルギーのための動作として、無線信号の送信電力を低減し、
前記切替ステップにおいて、前記ユーザ端末は、前記省エネルギーのための動作に伴って、隣接基地局からの前記無線の受信電力が閾値以上になった場合、前記通常モードから前記省電力モードへと前記動作モードを切り替えることを特徴とする請求項１に記載の通信制御方法。
【請求項６】
前記動作ステップの前において、前記ユーザ端末が、所定の時間において最大の受信電力となる前記無線信号を送信する前記隣接基地局を指定基地局として設定するステップを備え、
前記切替ステップにおいて、前記ユーザ端末が、前記指定基地局として設定された前記隣接基地局前記無線の受信電力が閾値以上になった場合、前記通常モードから前記省電力モードへと前記動作モードを切り替え、
前記通信制御方法は、前記ユーザ端末が、前記隣接基地局からの前記無線信号の受信電力が最大の受信電力でなくなった場合でも、前記隣接基地局を前記指定基地局として維持するステップをさらに備えることを特徴とする請求項５に記載の通信制御方法。
【請求項７】
前記動作ステップにおいて、前記基地局は、前記省エネルギーのための動作として、前記セル内に位置するユーザ端末の数に関する端末数情報を前記ユーザ端末に送信し、
前記切替ステップにおいて、前記ユーザ端末は、前記基地局から受信した前記端末数情報に基づいて、前記通常モードから前記省電力モードへと前記動作モードを切り替えることを特徴とする請求項１に記載の通信制御方法。
【請求項８】
前記端末数情報は、前記セル内に位置する全てのユーザ端末の数、単位面積当たりのユーザ端末の数、単位送信電力当たりのユーザ端末の数、接続状態のユーザ端末の数、アイドル状態のユーザ端末の数、固定型のユーザ端末の数、Ｄ２Ｄ通信を行うことを希望するユーザ端末の数、の少なくともいずれかの情報であることを特徴とする請求項７に記載の通信制御方法。
【請求項９】
前記基地局が、前記端末数情報を得るための情報を要求する要求情報をブロードキャストするステップと、
前記基地局が、前記要求情報への応答に基づいて、前記端末数情報を得るステップと、をさらに備えることを特徴とする請求項７に記載の通信制御方法。
【請求項１０】
前記端末数情報を得るための情報は、ユーザ端末の接続状態を示す情報、固定型のユーザ端末であるか否かを示す情報、前記Ｄ２Ｄ通信を行うことを希望する情報の少なくともいずれかの情報であることを特徴とする請求項９に記載の通信制御方法。
【請求項１１】
前記ユーザ端末が、前記セル内に移動した場合、前記基地局よりも上位のネットワーク装置に前記ユーザ端末の位置情報を登録するステップと、
前記基地局が、前記ネットワーク装置に登録された前記位置情報を前記ネットワーク装置から取得するステップと、
前記基地局が、取得した前記位置情報に基づいて、前記端末数情報を得るステップと、をさらに備えることを特徴とする請求項７に記載の通信制御方法。
【請求項１２】
前記動作ステップにおいて、前記基地局は、前記省エネルギーのための動作として、前記通常モードから前記省電力モードへ前記動作モードを切り替えるための要求を前記ユーザ端末に送信し、
前記切替ステップにおいて、前記ユーザ端末は、前記基地局から受信した前記要求に基づいて、前記通常モードから前記省電力モードへと前記動作モードを切り替えることを特徴とする請求項１に記載の通信制御方法。
【請求項１３】
前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方であり、
前記動作ステップにおいて、前記基地局は、前記動作モードが前記省電力モードの場合において適用される前記発見動作及び／又は前記同期信号の送信動作の制限情報を含む前記要求を送信することを特徴とする請求項１２に記載の通信制御方法。
【請求項１４】
Ｄ２Ｄ近傍サービスをサポートする移動通信システムにおいて用いられ、移動が制限された固定型のユーザ端末であって、
前記Ｄ２Ｄ近傍サービスにおける動作の消費電力が小さくなるように動作モードを通常モードから省電力モードへ切り替える制御部を備え、
前記制御部は、前記ユーザ端末が在圏するセルを管理する基地局が省エネルギーのための動作を行う場合、前記通常モードから前記省電力モードへと動作モードを切り替えることを特徴とするユーザ端末。
【請求項１５】
前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方であることを特徴とする請求項１４に記載のユーザ端末。
【請求項１６】
前記制御部は、前記基地局からの無線信号の受信電力が閾値以下になった場合、前記通常モードから前記省電力モードへと前記動作モードを切り替えることを特徴とする請求項１５に記載のユーザ端末。
【請求項１７】
前記制御部は、所定の時間において最大の受信電力となる前記無線信号を送信する前記基地局を指定基地局として設定し、
前記制御部は、前記指定基地局として設定された前記基地局が前記省エネルギーのための動作を行う場合、前記通常モードから前記省電力モードへと前記動作モードを切り替え、
前記制御部は、前記基地局からの前記無線信号の受信電力が最大の受信電力でなくなった場合でも、前記基地局を前記指定基地局として維持することを特徴とする請求項１６に記載のユーザ端末。
【請求項１８】
前記制御部は、前記省エネルギーのための動作に伴って、隣接基地局からの無線信号の受信電力が閾値以上になった場合に、前記通常モードから前記省電力モードへと前記動作モードを切り替えることを特徴とする請求項１５に記載のユーザ端末。
【請求項１９】
前記制御部は、所定の時間において、最大の受信電力となる前記無線信号を送信する前記隣接基地局を指定基地局として設定し、
前記制御部は、前記指定基地局として設定された前記隣接基地局前記無線の受信電力が閾値以上になった場合、前記通常モードから前記省電力モードへと前記動作モードを切り替え、
前記制御部は、前記隣接基地局からの前記無線信号の受信電力が最大の受信電力でなくなった場合でも、前記隣接基地局を前記指定基地局として維持することを特徴とする請求項１８に記載のユーザ端末。
【請求項２０】
前記セル内に位置するユーザ端末の数に関する端末数情報を前記基地局から受信する受信部をさらに備え、
前記制御部は、前記基地局から受信した前記端末数情報に基づいて、前記通常モードから前記省電力モードへと前記動作モードを切り替えることを特徴とする請求項１５に記載のユーザ端末。
【請求項２１】
前記ユーザ端末が前記通常モードから前記省電力モードへと前記動作モードを切り替えるための要求を前記基地局から受信する受信部をさらに備え、
前記制御部は、前記基地局から受信した前記要求に基づいて、前記通常モードから前記省電力モードへと前記動作モードを切り替えることを特徴とする請求項１５に記載のユーザ端末。
【請求項２２】
Ｄ２Ｄ近傍サービスをサポートする移動通信システムにおいて用いられ、移動が制限された固定型のユーザ端末に備えられるプロセッサであって、
前記Ｄ２Ｄ近傍サービスにおける動作の消費電力が小さくなるように動作モードを通常モードから省電力モードへ切り替える処理と、
前記ユーザ端末が在圏するセルを管理する基地局が省エネルギーのための動作を行う場合、前記通常モードから前記省電力モードへと動作モードを切り替える処理と、を実行することを特徴とするプロセッサ。
【発明の詳細な説明】
【技術分野】
【０００１】
本発明は、Ｄ２Ｄ通信をサポートする通信制御方法、ユーザ端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービス（Ｄ２Ｄ  ＰｒｏＳｅ）の導入が検討されている（非特許文献１参照）。【０００３】
Ｄ２Ｄ近傍サービスの一例であるＤ２Ｄ通信では、近接する複数のユーザ端末がネットワークを介さずに直接的な端末間通信を行う。一方、移動通信システムの通常の通信であるセルラ通信では、ユーザ端末がネットワークを介して通信を行う。【０００４】
また、Ｄ２Ｄ近傍サービスにおける動作の一例として、ユーザ端末は、Ｄ２Ｄ通信における相手端末（近傍端末）の発見に用いられる発見信号（Ｄｉｓｃｏｖｅｒｙ信号又はＤｉｓｃｏｖｅｒａｂｌｅ信号）によって、他のユーザ端末を発見する。
【先行技術文献】
【非特許文献】
【０００５】
【非特許文献１】３ＧＰＰ技術報告書  「ＴＲ  ２２．８０３  Ｖ１２．１．０」      ２０１３年３月
【発明の概要】
【０００６】
ここで、Ｄ２Ｄ近傍サービスにおける動作を行うユーザ端末として、移動が制限されていない一般的なユーザ端末の他に、移動が制限された固定型のユーザ端末（以下、固定ユーザ端末と称する）が想定される。例えば、固定ユーザ端末は、Ｄ２Ｄ通信における相手端末を発見するため又は相手端末に発見されるための発見動作を行うことによって、固定ユーザ端末の近傍に移動してきたユーザ端末を発見することができる。
【０００７】
しかしながら、例えば、移動するユーザ端末が少ない夜間など、固定ユーザ端末の近傍に相手がいない場合に発見動作を行っても、相手端末を発見できないため、電力を無駄に消費するという問題がある。
【０００８】
そこで、本発明は、移動が制限されたユーザ端末のＤ２Ｄ近傍サービスにおける動作に基づく無駄な電力消費を抑制できる通信制御方法、ユーザ端末及びプロセッサを提供することを目的とする。
【０００９】
一実施形態に係る通信制御方法は、Ｄ２Ｄ近傍サービスをサポートする移動通信システムに用いられる。当該通信制御方法は、移動が制限された固定型のユーザ端末が在圏するセルを管理する基地局が、省エネルギーのための動作を行う動作ステップと、前記基地局が、前記省エネルギーのための動作を行う場合、前記ユーザ端末が、前記Ｄ２Ｄ近傍サービスにおける動作の消費電力が小さくなるように動作モードを通常モードから省電力モードへ切り替える切替ステップと、を備える。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、セルラ通信におけるデータパスを示す図である。
【図６】図６は、Ｄ２Ｄ通信におけるデータパスを示す図である。
【図７】図７は、実施形態に係る移動通信システムの動作１の動作概要を説明するための説明図である。
【図８】図８は、実施形態に係る移動通信システムの動作１におけるＵＥ１００の動作を示すフローチャートである。
【図９】図９は、実施形態に係る移動通信システムにおけるＵＥ１００の指定ｅＮＢを設定するための動作を示すフローチャートである。
【図１０】図１０は、実施形態に係る移動通信システムの動作１の変更例におけるＵＥ１００の動作を示すフローチャートである。
【図１１】図１１は、実施形態に係る移動通信システムの動作２におけるＵＥ１００の動作を示すフローチャートである。
【図１２】図１２は、実施形態に係る移動通信システムの動作２におけるＵＥ数情報の一例を説明するための説明図である。
【図１３】図１３は、実施形態に係る移動通信システムの動作２におけるｅＮＢ２００の動作を示すフローチャートである。
【図１４】図１４は、実施形態に係る移動通信システムの動作２におけるｅＮＢ２００がＵＥ数情報を求めるための方法を説明するための説明図である。
【図１５】図１５は、実施形態に係る移動通信システムの動作２におけるＵＥ１００の位置登録動作を示すフローチャートである。
【図１６】図１６は、実施形態に係る移動通信システムの動作３におけるＵＥ１００の動作を示すフローチャート（その１）である。
【図１７】図１７は、実施形態に係る移動通信システムの動作３におけるＵＥ１００の動作を示すフローチャート（その２）である。
【発明を実施するための形態】
【００１１】
［実施形態の概要］
実施形態に係る通信制御方法は、Ｄ２Ｄ近傍サービスをサポートする移動通信システムに用いられる。当該通信制御方法は、移動が制限された固定型のユーザ端末が在圏するセルを管理する基地局が、省エネルギーのための動作を行う動作ステップと、前記基地局が、前記省エネルギーのための動作を行う場合、前記ユーザ端末が、前記Ｄ２Ｄ近傍サービスにおける動作の消費電力が小さくなるように動作モードを通常モードから省電力モードへ切り替える切替ステップと、を備える。
【００１２】
実施形態では、前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方である。
【００１３】
実施形態では、前記動作ステップにおいて、前記基地局は、前記省エネルギーのための動作として、無線信号の送信電力を低減し、前記切替ステップにおいて、前記ユーザ端末は、前記無線信号の受信電力が閾値以下になった場合、前記通常モードから前記省電力モードへと前記動作モードを切り替える。
【００１４】
実施形態に係る通信制御方法は、前記動作ステップの前において、前記ユーザ端末が、所定の時間において最大の受信電力となる前記無線信号を送信する前記基地局を指定基地局として設定するステップを備える。前記切替ステップにおいて、前記ユーザ端末が、前記指定基地局として設定された前記基地局が前記省エネルギーのための動作を行う場合、前記通常モードから前記省電力モードへと前記動作モードを切り替える。当該通信制御方法は、前記ユーザ端末が、前記基地局からの前記無線信号の受信電力が最大の受信電力でなくなった場合でも、前記基地局を前記指定基地局として維持するステップをさらに備える。
【００１５】
実施形態では、前記動作ステップにおいて、前記基地局は、前記省エネルギーのための動作として、無線信号の送信電力を低減し、前記切替ステップにおいて、前記ユーザ端末は、前記省エネルギーのための動作に伴って、隣接基地局からの前記無線の受信電力が閾値以上になった場合、前記通常モードから前記省電力モードへと前記動作モードを切り替える。
【００１６】
実施形態に係る通信制御方法は、前記動作ステップの前において、前記ユーザ端末が、所定の時間において最大の受信電力となる前記無線信号を送信する前記隣接基地局を指定基地局として設定するステップを備える。前記切替ステップにおいて、前記ユーザ端末が、前記指定基地局として設定された前記隣接基地局前記無線の受信電力が閾値以上になった場合、前記通常モードから前記省電力モードへと前記動作モードを切り替える。当該通信制御方法は、前記ユーザ端末が、前記隣接基地局からの前記無線信号の受信電力が最大の受信電力でなくなった場合でも、前記隣接基地局を前記接指定基地局として維持するステップをさらに備える。
【００１７】
実施形態では、前記動作ステップにおいて、前記基地局は、前記省エネルギーのための動作として、前記セル内に位置するユーザ端末の数に関する端末数情報を前記ユーザ端末に送信し、前記切替ステップにおいて、前記ユーザ端末は、前記基地局から受信した前記端末数情報に基づいて、前記通常モードから前記省電力モードへと前記動作モードを切り替える。
【００１８】
実施形態では、前記端末数情報は、前記セル内に位置する全てのユーザ端末の数、単位面積当たりのユーザ端末の数、単位送信電力当たりのユーザ端末の数、接続状態のユーザ端末の数、アイドル状態のユーザ端末の数、固定型のユーザ端末の数、Ｄ２Ｄ通信を行うことを希望するユーザ端末の数、の少なくともいずれかの情報である。
【００１９】
実施形態に係る通信制御方法は、前記基地局が、前記端末数情報を得るための情報を要求する要求情報をブロードキャストするステップと、前記基地局が、前記要求情報への応答に基づいて、前記端末数情報を得るステップと、をさらに備える。
【００２０】
実施形態では、前記端末数情報を得るための情報は、ユーザ端末の接続状態を示す情報、固定型のユーザ端末であるか否かを示す情報、前記Ｄ２Ｄ通信を行うことを希望する情報の少なくともいずれかの情報である。
【００２１】
実施形態に係る通信制御方法は、前記ユーザ端末が、前記セル内に移動した場合、前記基地局よりも上位のネットワーク装置に前記ユーザ端末の位置情報を登録するステップと、前記基地局が、前記ネットワーク装置に登録された前記位置情報を前記ネットワーク装置から取得するステップと、前記基地局が、取得した前記位置情報に基づいて、前記端末数情報を得るステップと、をさらに備える。
【００２２】
実施形態では、前記動作ステップにおいて、前記基地局は、前記省エネルギーのための動作として、前記通常モードから前記省電力モードへ前記動作モードを切り替えるための要求を前記ユーザ端末に送信し、前記切替ステップにおいて、前記ユーザ端末は、前記基地局から受信した前記要求に基づいて、前記通常モードから前記省電力モードへと前記動作モードを切り替える。
【００２３】
実施形態では、前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方である。前記動作ステップにおいて、前記基地局は、前記動作モードが前記省電力モードの場合において適用される前記発見動作及び／又は前記同期信号の送信動作の制限情報を含む前記要求を送信する。
【００２４】
実施形態に係るユーザ端末は、Ｄ２Ｄ近傍サービスをサポートする移動通信システムにおいて用いられ、移動が制限された固定型のユーザ端末である。当該ユーザ端末は、前記Ｄ２Ｄ近傍サービスにおける動作の消費電力が小さくなるように動作モードを通常モードから省電力モードへ切り替える制御部とを備える。前記制御部は、前記ユーザ端末が在圏するセルを管理する基地局が省エネルギーのための動作を行う場合、前記通常モードから前記省電力モードへと動作モードを切り替える。
【００２５】
実施形態では、前記Ｄ２Ｄ近傍サービスにおける動作は、Ｄ２Ｄ通信における相手端末を発見するため又は前記相手端末に発見されるための発見動作、及び、端末間同期を確立するための同期信号の送信動作の少なくとも一方である。
【００２６】
実施形態では、前記制御部は、前記基地局からの無線信号の受信電力が閾値以下になった場合、前記通常モードから前記省電力モードへと前記動作モードを切り替える。
【００２７】
実施形態では、前記制御部は、所定の時間において最大の受信電力となる前記無線信号を送信する前記基地局を指定基地局として設定し、前記制御部は、前記指定基地局として設定された前記基地局が前記省エネルギーのための動作を行う場合、前記通常モードから前記省電力モードへと前記動作モードを切り替え、前記制御部は、前記基地局からの前記無線信号の受信電力が最大の受信電力でなくなった場合でも、前記基地局を前記指定基地局として維持する。
【００２８】
実施形態では、前記制御部は、前記省エネルギーのための動作に伴って、隣接基地局からの無線信号の受信電力が閾値以上になった場合に、前記通常モードから前記省電力モードへと前記動作モードを切り替える。
【００２９】
実施形態では、前記制御部は、所定の時間において、最大の受信電力となる前記無線信号を送信する前記隣接基地局を指定基地局として設定し、前記制御部は、前記指定基地局として設定された前記隣接基地局前記無線の受信電力が閾値以上になった場合、前記通常モードから前記省電力モードへと前記動作モードを切り替え、前記制御部は、前記隣接基地局からの前記無線信号の受信電力が最大の受信電力でなくなった場合でも、前記隣接基地局を前記指定基地局として維持する。
【００３０】
実施形態に係るユーザ端末は、前記セル内に位置するユーザ端末の数に関する端末数情報を前記基地局から受信する受信部をさらに備える。前記制御部は、前記基地局から受信した前記端末数情報に基づいて、前記通常モードから前記省電力モードへと前記動作モードを切り替える。
【００３１】
実施形態に係るユーザ端末は、前記ユーザ端末が前記通常モードから前記省電力モードへと前記動作モードを切り替えるための要求を前記基地局から受信する受信部をさらに備える。前記制御部は、前記基地局から受信した前記要求に基づいて、前記通常モードから前記省電力モードへと前記動作モードを切り替える。
【００３２】
実施形態に係るプロセッサは、Ｄ２Ｄ近傍サービスをサポートする移動通信システムにおいて用いられ、移動が制限された固定型のユーザ端末に備えられるプロセッサである。当該プロセッサは、前記Ｄ２Ｄ近傍サービスにおける動作の消費電力が小さくなるように動作モードを通常モードから省電力モードへ切り替える処理と、前記ユーザ端末が在圏するセルを管理する基地局が省エネルギーのための動作を行う場合、前記通常モードから前記省電力モードへと動作モードを切り替える処理と、を実行する。
【００３３】
［実施形態］
（ＬＴＥシステム）
図１は、本実施形態に係るＬＴＥシステムの構成図である。
【００３４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３５】
ＵＥ１００は、移動型の無線通信装置であり、接続を確立したセル（サービングセル）との無線通信を行う。ＵＥ１００はユーザ端末に相当する。
【００３６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３７】
なお、「セル」は、無線通信エリアの最小単位を示す用語として使用される他に、ＵＥ１００との無線通信を行う機能を示す用語としても使用される。
【００３８】
ｅＮＢ２００は、例えば、無線リソース管理（ＲＲＭ）機能と、ユーザデータのルーティング機能と、モビリティ制御及びスケジューリングのための測定制御機能と、を有する。
【００３９】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００４０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００４１】
ＯＡＭ４００は、オペレータによって管理されるサーバ装置であり、Ｅ−ＵＴＲＡＮ１０の保守及び監視を行う。
【００４２】
次に、ＵＥ１００及びｅＮＢ２００の構成を説明する。
【００４３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４７】
ＧＮＳＳ受信機１３０は、ＵＥ１００の地理的な位置を示す位置情報を得るために、ＧＮＳＳ信号を受信して、受信した信号をプロセッサ１６０に出力する。
【００４８】
バッテリ１４０は、ＵＥ１００の各ブロックに供給すべき電力を蓄える。
【００４９】
メモリ１５０は、プロセッサ１６０によって実行されるプログラムと、プロセッサ１６０による処理に使用される情報と、を記憶する。
【００５０】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００５１】
図３は、ｅＮＢ２００のブロック図である。図３に示すように、ｅＮＢ２００（後述するＭｅＮＢ２００Ａ、ＰｅＮＢ２００Ｂ及びＰｅＮＢ２００Ｂを含む）は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００５２】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５４】
メモリ２３０は、プロセッサ２４０によって実行されるプログラムと、プロセッサ２４０による処理に使用される情報と、を記憶する。
【００５５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５６】
図４は、ＬＴＥシステムにおける無線インターフェイスのプロトコルスタック図である。
【００５７】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５８】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５９】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００６０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６１】
ＰＤＣＰレイヤは、ヘッダ圧縮・伸張、及び暗号化・復号化を行う。
【００６２】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００６３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６４】
（Ｄ２Ｄ通信）
次に、ＬＴＥシステムの通常の通信（セルラ通信）とＤ２Ｄ通信とを比較して説明する。
【００６５】
図５は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６６】
図５に示すように、セルラ通信のデータパスはネットワークを経由する。詳細には、ｅＮＢ２００−１、Ｓ−ＧＷ３００、及びｅＮＢ２００−２を経由するデータパスが設定される。
【００６７】
図６は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６８】
図６に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６９】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００７０】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００７１】
このケースの場合、ＵＥ１００は、相手端末を発見するために、自身の近傍に存在する他のＵＥ１００を発見する（Ｄｉｓｃｏｖｅｒ）機能、及び／又は、他のＵＥ１００から発見される(Ｄｉｓｃｏｖｅｒａｂｌｅ)機能を有する。
【００７２】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。なお、ＵＥ１００−１は、相手端末を発見した後にＤ２Ｄ通信を行わなかった場合、上位レイヤ（例えば、アプリケーションなど）に近傍のＵＥ１００（すなわち、ＵＥ１００−２）の発見を報告してもよい。例えば、アプリケーションは、当該報告に基づく処理（例えば、ＵＥ１００−２の位置を地図情報にプロットする処理など）を実行できる。
【００７３】
また、ＵＥ１００は、相手端末を発見したことをｅＮＢ２００に報告し、相手端末との通信をセルラ通信によって行うかＤ２Ｄ通信によって行うかの指示をｅＮＢ２００から受けることも可能である。
【００７４】
一方、上記（ｂ）のケースでは、例えば、ＵＥ１００−１は、相手端末を特定せずに、Ｄ２Ｄ通信用の信号の送信（ブロードキャストによる報知など）を開始する。これにより、ＵＥ１００は、相手端末の発見の有無にかかわらず、Ｄ２Ｄ通信を開始できる。なお、Ｄ２Ｄ通信用の信号の待ち受け動作を行っているＵＥ１００−２は、ＵＥ１００−１からの当該信号に基づいて、同期又は／及び復調を行う。
【００７５】
（実施形態に係る動作）
次に、本実施形態に係る移動通信システムの動作１−３について、説明する。
【００７６】
（１）動作１
（１．１）動作１の概要
本実施形態に係る移動通信システムの動作１の動作概要について、図７及び図８を用いて説明する。図７は、実施形態に係る移動通信システムの動作１の動作概要を説明するための説明図である。図８は、実施形態に係る移動通信システムの動作１におけるＵＥ１００の動作を示すフローチャートである。
【００７７】
動作１において、ｅＮＢ２００（ｅＮＢ２００−１及びｅＮＢ２００−２）は、省エネルギーのための動作として、無線信号の送信電力を低減する。本実施形態において、ｅＮＢ２００は、自セルをオフする（すなわち、自セルを形成するための無線信号の送信電力を０にする）。
【００７８】
例えば、ｅＮＢ２００は、ｅＮＢ２００におけるトラフィック状況（接続ＵＥ数、送受信データ量、又は無線リソース使用率など）の時間変動に基づいて、自セルをオフするか否かを判断する。例えば、ｅＮＢ２００は、送受信データ量などの少ない時間帯においてｅＮＢ２００は自セルをオフすると判断する。
【００７９】
図７に示すように、移動通信システムは、ＵＥ１００、ｅＮＢ２００−１及びｅＮＢ２００−２を有する。
【００８０】
ｅＮＢ２００−１は、ＵＥ１００が在圏するセル１を管理する（図７（Ａ）参照）。ｅＮＢ２００−１は、自セルであるセル１をオフにするオフ対象基地局に該当する。一方、ｅＮＢ２００−２は、ｅＮＢ２００−１の隣接ｅＮＢである。ｅＮＢ２００−２は、ｅＮＢ２００−１のセル１を補完するためのセル拡張を行う拡張対象基地局に該当する。
【００８１】
ＵＥ１００は、移動が制限された固定型のＵＥである。一例として、固定型のＵＥは、位置が固定されたＵＥ１００である。或いは、固定ＵＥ１００は、ＭＴＣ機能を有するＵＥ１００である。
【００８２】
また、ＵＥ１００は、所定の情報（例えば、広告）を配信するために、Ｄ２Ｄ通信における相手ＵＥを発見するため又は相手ＵＥに発見されるための発見動作を行う。具体的には、ＵＥ１００は、発見信号（Ｄｉｓｃｏｖｅｒｙ信号／Ｄｉｓｃｏｖｒａｂｌｅ信号）を送信する。ＵＥ１００と相手ＵＥとは、発見信号（又は発見信号の応答）によって、互いに相手を発見する。ＵＥ１００は、Ｄ２Ｄ通信によって、発見した相手ＵＥに対して所定の情報を送信できる。また、ＵＥ１００は、相手端末から情報を受信できる。
【００８３】
また、ＵＥ１００には、ｅＮＢ２００−１が指定ｅＮＢとして予め設定されている。ＵＥ１００は、指定ｅＮＢであるｅＮＢ２００−１からの無線信号の受信電力が閾値未満になった場合（例えば、ｅＮＢ２００−１からの無線信号が受信できない場合）、通常モードから省電力モードへ動作モードを切り替える。一方、ＵＥ１００は、ｅＮＢ２００−１からの無線信号の受信電力が閾値以上になった場合（例えば、ｅＮＢ２００−１からの無線信号が検知できた場合）、省電力モードから通常モードへ動作モードを切り替える。
【００８４】
ここで、通常モードは、通常動作を行うモードである。一方、省電力モードとは、少なくとも発見動作の消費電力が、通常モードにおける発見動作の消費電力よりも小さくなるモードである。例えば、動作モードが省電力モードに設定されている場合、ＵＥ１００は、発見動作の頻度を落としたり（発見信号の送信周期を長くする）、発見動作における送信情報量を低減させたりする。また、省電力モードは、ｅＮＢ２００−１が省エネルギーのための動作を終了するまで、ＵＥ１００が発見動作を停止する長期的なスリープモードであってもよい。なお、ＵＥ１００は、発見動作以外の動作（例えば、Ｄ２Ｄ通信）を停止してもよい。
【００８５】
次に、動作１におけるＵＥ１００の動作を説明する。
【００８６】
図８に示すように、ステップＳ１０１において、ＵＥ１００は、ｅＮＢ２００−１（指定ｅＮＢ）を探索する。
【００８７】
ステップＳ１０２において、ＵＥ１００は、ｅＮＢ２００−１を検知できたか否かを判定する。具体的には、ＵＥ１００は、ｅＮＢ２００−１からの無線信号を受信したか否かを判定する。ＵＥ１００は、ｅＮＢ２００−１を検知できない場合（「ＹＥＳ」の場合）、ｅＮＢ２００−１がセル１をオフした（すなわち、省エネルギーのための動作を行った）と判定し、ステップＳ１０３の処理を実行する。一方、ＵＥ１００は、ｅＮＢ２００−１を検知できた場合（「ＮＯ」の場合）、ステップＳ１０４の処理を実行する。
【００８８】
ステップＳ１０３において、ＵＥ１００は、通常モードから省電力モードである長期スリープモードへ動作モードを切り替える。その後、ＵＥ１００は、発見動作を停止する。
【００８９】
一方、ステップＳ１０４において、ＵＥ１００は、通常モードを維持し、通常の発見動作を行う。
【００９０】
（１．２）動作１の変更例
次に、動作１の変更例を、図９及び図１０を用いて説明する。なお、上述した動作１と異なる部分を中心に説明し、同様の部分は、説明を適宜省略する。
【００９１】
図９は、実施形態に係る移動通信システムにおけるＵＥ１００の指定ｅＮＢを設定するための動作を示すフローチャートである。図１０は、実施形態に係る移動通信システムの動作１の変更例におけるＵＥ１００の動作を示すフローチャートである。
【００９２】
上述の動作１では、ＵＥ１００には、ｅＮＢ２００−１が指定ｅＮＢとして予め設定されていた。本変更例では、ＵＥ１００が、自律的に、指定ｅＮＢを設定する。
【００９３】
まず、ＵＥ１００が、指定ｅＮＢを設定する方法の一例を説明する。
【００９４】
図９に示すように、ステップＳ１２１において、ＵＥ１００は、通常動作を要求された時間であるか否かを判定する。ＵＥ１００は、通常動作を要求された時間である場合、ステップＳ１２２の処理を実行し、通常動作を要求された時間でない場合、処理を終了する。
【００９５】
なお、ＵＥ１００は、通常動作を要求された時間に限らず、ネットワークから指定された所定の時刻（又は時間）に、ステップＳ１２２の処理を実行してもよい。
【００９６】
ステップＳ１２２において、ＵＥ１００は、周囲のｅＮＢ２００の無線信号を受信し、ｅＮＢを探索する。
【００９７】
ステップＳ１２３において、ＵＥ１００は、無線信号を受信できたｅＮＢ２００の中から、受信電力を示すＲＳＲＰが最も良好な（最大の）ｅＮＢ２００を指定ｅＮＢに設定する。
【００９８】
ステップＳ１２４において、ＵＥ１００は、指定ｅＮＢのＲＳＲＰの統計値を算出する。ＵＥ１００は、例えば、指定ｅＮＢのＲＳＲＰの平均値（ＲＳＲＰａｖｅ）を算出する。
【００９９】
その後、ＵＥ１００は、指定ｅＮＢのＲＳＲＰが最大でなくなった場合でも、通常動作を要求された時間になって、指定ｅＮＢの設定が要求されるまで、指定ｅＮＢを維持する。
【０１００】
次に、ＵＥ１００が、動作モードを切り替える方法の一例を説明する。
【０１０１】
ステップＳ１４１において、ＵＥ１００は、指定ｅＮＢのＲＳＲＰを計測する。
【０１０２】
ステップＳ１４２において、ＵＥ１００は、計測したＲＳＲＰが、第１閾値以下であるか、又は、第２閾値以上であるか否かを判定する。具体的には、ＵＥ１００は、計測したＲＳＲＰが以下の式（１）又は式（２）を満たすか否かを判定する。
【０１０３】
ＲＳＲＰ  ≧  ＲＳＲＰａｖｅ−α  ・・・  式（１）
ＲＳＲＰ  ≦  ＲＳＲＰａｖｅ＋β  ・・・  式（２）
【０１０４】
ここで、第１閾値は、平均値（ＲＳＲＰａｖｅ）と係数（α）とによって算出された値（ＲＳＲＰａｖｅ−α）である。第２閾値は、平均値（ＲＳＲＰａｖｅ）と係数（β）とによって算出された値（ＲＳＲＰａｖｅ＋β）である。
【０１０５】
なお、係数は、予め定められた固定値であってもよいし、ステップＳ１２４における統計値の算出する際の分散に基づいて、決定してもよい。
【０１０６】
ＵＥ１００は、計測したＲＳＲＰが式（１）を満たした場合、ｅＮＢ２００−１がセル１をオフして、省エネルギーのための動作を行ったと判定する。一方、ＵＥ１００は、計測したＲＳＲＰが式（２）を満たした場合、ｅＮＢ２００−１のセル１のオフに伴って、ｅＮＢ２００−２がセル２を拡張したと判定する。すなわち、ＵＥ１００は、ｅＮＢ２００−１が、省エネルギーのための動作を行ったと判定する。
【０１０７】
ＵＥ１００は、計測したＲＳＲＰが以下の式（１）又は式（２）を満たしたと判定した場合、ステップＳ１４３の処理を実行する。一方、ＵＥ１００は、計測したＲＳＲＰが以下の式（１）及び式（２）を満たさないと判定した場合、ステップＳ１４４の処理を実行する。
【０１０８】
ステップＳ１４３及びＳ１４４は、ステップＳ１０３及びＳ１０４に対応する。
【０１０９】
（２）動作２
次に、動作２について説明する。上述した動作１と異なる部分を中心に説明し、同様の部分は、説明を適宜省略する。
【０１１０】
動作１では、ｅＮＢ２００は、省エネルギーのための動作として、ｅＮＢ２００は、無線信号の送信電力を低減していた。一方、動作２では、ｅＮＢ２００は、省エネルギーのための動作として、ｅＮＢ２００のセル内に位置するＵＥ１００の数に関するＵＥ数情報をＵＥ１００に送信する。
【０１１１】
（２．１）動作２におけるＵＥ１００の動作
動作２におけるＵＥ１００の動作を、図１１及び図１２を用いて説明する。図１１は、実施形態に係る移動通信システムの動作２におけるＵＥ１００の動作を示すフローチャートである。図１２は、実施形態に係る移動通信システムの動作２におけるＵＥ数情報の一例を説明するための説明図である。
【０１１２】
ＵＥ１００は、ｅＮＢ２００が管理するセルに在圏する。
【０１１３】
図１１に示すように、ステップＳ２０１において、ＵＥ１００は、ｅＮＢ２００からＵＥ数情報を取得する。ｅＮＢ２００は、ブロードキャスト又はユニキャストによって、ＵＥ数情報を送信する。ＵＥ１００は、ＵＥ数情報をｅＮＢ２００に要求することによって取得してもよい。
【０１１４】
ＵＥ数情報は、セル内に位置するＵＥの数に関する情報である。例えば、図１２に挙げられる情報である。
【０１１５】
図１２（Ａ）において、ＵＥ数情報は、セル内に位置する全てのＵＥ数を示す情報（全ＵＥ数情報）、固定型であり、Ｄ２Ｄ通信を行うＵＥの数を示す情報（固定Ｄ２ＤＵＥ数）、アイドル状態のＵＥ数を示す情報（アイドルＵＥ数）、ｅＮＢ２００の送信電力を示す情報（送信パワー）を含む。なお、ｅＮＢ２００の送信電力は、単位面積当たりのＵＥ数を推定するために用いられる。
【０１１６】
図１２（Ｂ）において、ＵＥ数情報は、単位面積当たりのＵＥ数を示す情報（単位面積当たりＵＥ数）、単位面積当たりの固定型のＵＥ数を示す情報（単位面積当たり固定ＵＥ数）、単位面積当たりのアイドル状態のＵＥ数を示す情報（単位面積当たりアイドルＵＥ数）を含む。
【０１１７】
図１２（Ｃ）において、ＵＥ数情報は、「全ＵＥ数」、接続状態（ＲＲＣ接続状態）のＵＥ数を示す情報（接続ＵＥ数）、「アイドルＵＥ数」、「固定Ｄ２ＤＵＥ数」、ｅＮＢ２００のセルの想定される大きさを示す面積（想定サービス面積）、「送信パワー」を含む。
【０１１８】
図１２（Ｄ）において、ＵＥ数情報は、「全ＵＥ数」、Ｄ２Ｄ通信を行うことを希望するＵＥ数を示す情報、「送信パワー」を含む。
【０１１９】
ステップＳ２０２において、ＵＥ１００は、ＵＥ数情報に基づいて、ＵＥ数が閾値以下であるか否かを判定する。
【０１２０】
ここで、閾値と比較するＵＥ数は、上述のＵＥ数情報に含まれるいずれかの情報であってもよい。或いは、ＵＥ１００は、ＵＥ数情報に含まれる１つの（或いは、複数の）情報を所定の式によって、閾値と比較するためのＵＥ数（例えば、単位面積当たりのＵＥ数など）を算出してもよい。
【０１２１】
ＵＥ１００は、ＵＥ数が閾値以下である場合（「ＹＥＳ」の場合）、ステップＳ２０３の処理を実行し、ＵＥ数が閾値より大きい場合（「ＮＯ」の場合）、ステップＳ２０４の処理を実行する。
【０１２２】
ステップＳ２０３及びＳ２０４は、ステップＳ１０３及びＳ１０４に対応する。
【０１２３】
なお、ＵＥ１００は、ＵＥ数が閾値以下である場合、セル内のＵＥ数（密度）が、想定数以下に低下し、Ｄ２Ｄ通信できるＵＥが少ないと判定し、省電力モードに動作モードを切り替える（又は省電力モードを維持する）。一方、ＵＥ１００は、ＵＥ数が閾値より大きい場合、セル内のＵＥ数（密度）が、想定数以下に低下してなく、Ｄ２Ｄ通信できるＵＥが多いと判定し、通常モードに動作モードを切り替える（又は通常モードを維持する）。
【０１２４】
（２．２）ＵＥ数情報の求め方
次に、ｅＮＢ２００が、ＵＥ数情報を求めるための第１及び第２の方法を、図１３から図１５を用いて説明する。
【０１２５】
図１３は、実施形態に係る移動通信システムの動作２におけるｅＮＢ２００の動作を示すフローチャートである。図１４は、実施形態に係る移動通信システムの動作２におけるｅＮＢ２００がＵＥ数情報を求めるための方法を説明するための説明図である。図１５は、実施形態に係る移動通信システムの動作２におけるＵＥ１００の位置登録動作を示すフローチャートである。
【０１２６】
第１の方法は、ｅＮＢ２００がセル内に在圏するＵＥ１００から端末数情報を得るための情報を取得する方法である。
【０１２７】
図１３に示すように、ステップＳ２２１において、ｅＮＢ２００は、ＵＥ数カウント要求をブロードキャスト（報知）する。セル内位置するＵＥ１００は、ＵＥ数カウント要求受信する。
【０１２８】
ＵＥ数カウント要求は、端末数情報を得るための情報を要求する情報である。端末数情報を得るための情報は、例えば、ＵＥの識別子及びＵＥの属性を示す情報を含む。ＵＥの属性を示す情報は、ＵＥ１００の接続状態を示す情報（アイドル状態／ＲＲＣ接続状態）、固定型のＵＥ１００であるか否かを示す情報、Ｄ２Ｄ通信を行うことを希望する情報）の少なくともいずれかの情報であってもよい。
【０１２９】
なお、上述の「ＵＥ１００の接続状態」は、ＵＥ数カウント要求を受信した時のＵＥ１００の接続状態である。或いは、アイドル状態のＵＥ１００が、ＵＥ数カウント要求に対して応答するために一時的に接続し、その後接続を終了する場合、ＵＥ１００の接続状態は、アイドル状態である。一方、アイドル状態のＵＥ１００が、ＵＥ数カウント要求に対して応答した後、接続を継続する場合は、ＵＥ１００の接続状態は、ＲＲＣ接続状態である。
【０１３０】
また、Ｄ２Ｄ通信を行うことを希望する情報は、例えば、Ｄ２Ｄ通信による通話を要求する情報、Ｄ２Ｄ通信による広告情報を取得することを要求する情報、Ｄ２Ｄ通信による広告情報を送信する端末（店舗）の情報を取得することを要求する情報などが挙げられる。これらの要求のそれぞれをカウントしてもよい。
【０１３１】
ステップＳ２２２において、ｅＮＢ２００は、タイマを開始させる。
【０１３２】
ステップＳ２２３において、ｅＮＢ２００は、ＵＥ数カウント要求応答をＵＥ１００から受信する。一方、ＵＥ１００は、ＵＥ数カウント要求応答を送信する。ＵＥ数カウント要求応答は、ＵＥの識別子及び上述のＵＥの属性を示す情報を含んでもよい。
【０１３３】
ｅＮＢ２００は、ステップＳ２２２におけるタイマが終了したら、ステップＳ２２４の処理を実行する。
【０１３４】
ステップＳ２２４において、ｅＮＢ２００は、ＵＥ数カウント要求応答に基づいて、ＵＥ数を集計する。ｅＮＢ２００は、ＵＥの識別子の数をカウントしてもよいし、ＵＥの属性を示す情報に基づいて、図１２に示す用に、詳細にＵＥ数を分類して、集計してもよい。ｅＮＢ２００は、集計結果に基づいてＵＥ数情報を求める。
【０１３５】
ステップＳ２２５において、ｅＮＢ２００は、求められたＵＥ数情報をブロードキャストする。
【０１３６】
次に、第２の方法は、ｅＮＢ２００が、ＵＥ１００の位置が登録されるネットワーク装置（サーバ）から端末数情報を取得する方法である。
【０１３７】
図１４に示すように、ＵＥ１００は、ｅＮＢ２００が管理するセル内に移動した場合、ｅＮＢ２００に少なくとも一時的に接続する。ＵＥ１００は、アイドル状態である場合であっても、一時的に接続する。ＵＥ１００は、ｅＮＢ２００に接続した後、サーバ（例えば、ＭＭＥなどのネットワーク装置）に位置情報の登録を行う。ＵＥ１００は、ＵＥの識別子とＵＥ１００の位置情報（例えば、ｅＮＢ２００の識別子）を登録する。ＵＥ１００は、位置登録の際に、ＵＥの属性を示す情報を登録してもよい。なお、ＵＥ１００は、一時的に接続し、その後接続を終了する場合、アイドル状態を示す情報を登録してもよい。
【０１３８】
また、アイドル状態のＵＥ１００は、図１５に示すように、以下の処理を実行する。
【０１３９】
ステップＳ２４１において、ＵＥ１００は、ｅＮＢを探索する。
【０１４０】
ステップＳ２４２において、ＵＥ１００は、探索によって、検知したｅＮＢ２００が、前回位置登録を行ったｅＮＢ２００と異なるｅＮＢ２００である場合（「ＹＥＳ」の場合）、ステップＳ２４３の処理を実行する。一方、検知したｅＮＢ２００が、前回位置登録を行ったｅＮＢ２００と同じ場合（「ＮＯ」の場合）、処理を終了する。
【０１４１】
ステップＳ２４３において、ＵＥ１００は、同じｅＮＢ２００（が管理するセル）に一定時間以上駐在したか否かを判定する。ＵＥ１００は、駐在時間が一定時間を示す閾値以上である場合（「ＹＥＳ」の場合）、ステップＳ２４４の処理を実行する。一方、ＵＥ１００は、駐在時間が閾値未満である場合（「ＮＯ」の場合）、処理を終了する。
【０１４２】
ステップＳ２４４において、ＵＥ１００は、駐在しているｅＮＢ２００の識別子を新たなＵＥ１００の位置情報としてサーバに登録する。
【０１４３】
一方、ｅＮＢ２００は、サーバから位置情報（及びＵＥの属性を示す情報）を取得する。ｅＮＢ２００は、取得した位置情報（及びＵＥの属性を示す情報）に基づいて、端末数情報を求める。
【０１４４】
（３）動作３
次に、動作３について、図１６及び図１７を用いて説明する。図１６は、実施形態に係る移動通信システムの動作３におけるＵＥ１００の動作を示すフローチャート（その１）である。図１７は、実施形態に係る移動通信システムの動作３におけるＵＥ１００の動作を示すフローチャート（その２）である。
【０１４５】
なお、上述した動作１及び動作２と異なる部分を中心に説明し、同様の部分は、説明を適宜省略する。
【０１４６】
動作１では、ｅＮＢ２００は、省エネルギーのための動作として、ｅＮＢ２００は、無線信号の送信電力を低減していた。一方、動作３では、ｅＮＢ２００は、省エネルギーのための動作として、動作モードを切り替えるための要求をＵＥ１００に送信する。
【０１４７】
例えば、広告事業者が、所定の指定時間において、Ｄ２Ｄ通信にて広告情報を配信する指定の固定型のＵＥ１００の停止（或いは、再開）を通信事業者（キャリア）へ要求する。これに従って、ネットワークは、指定された固定型のＵＥ１００が在圏するｅＮＢ２００に、動作モードを切り替えるための要求を指定された固定型のＵＥ１００に送信するように要求する。
【０１４８】
まず、動作３におけるＵＥ１００の第１の動作を説明する。第１の動作では、ｅＮＢ２００が動作モードを切り替えるための要求（メッセージ）をユニキャストにて送信する。例えば、メッセージは、ＵＥ１００の識別子と、長期的スリープのＯＮ／ＯＦＦを示すフラグとから構成される。
【０１４９】
図１６に示すように、ステップＳ３０１において、ＵＥ１００は、ｅＮＢ２００からメッセージをユニキャストで受信する。
【０１５０】
ステップＳ３０２において、ＵＥ１００は、受信したメッセージが省電力モード（長期的スリープモード）から通常モードへ動作モードを切り替えるための要求であるか否かを判定する。すなわち、ＵＥ１００は、長期的スリープの終了を要求するメッセージを受信していた場合（「ＹＥＳの場合」）、ステップＳ３０３の処理を実行する。一方、ＵＥ１００は、長期的スリープの終了を要求するメッセージを受信していない場合（「ＮＯの場合」）、ステップＳ３０４の処理を実行する。
【０１５１】
ステップＳ３０３は、ステップＳ１０４に対応する。
【０１５２】
ステップＳ３０４において、ＵＥ１００は、受信したメッセージが通常モードから省電力モードへ動作モードを切り替えるための要求であるか否かを判定する。すなわち、ＵＥ１００は、長期的スリープの開始を要求するメッセージを受信していた場合（「ＹＥＳの場合」）、ステップＳ３０５の処理を実行する。一方、ＵＥ１００は、長期的スリープの開始を要求するメッセージを受信していない場合（「ＮＯの場合」）、処理を終了する。
【０１５３】
ステップＳ３０５は、ステップＳ１０３に対応する。
【０１５４】
次に、動作３におけるＵＥ１００の第２の動作を説明する。第２の動作では、ｅＮＢ２００が動作モードを切り替えるための要求をブロードキャストにて送信する。ｅＮＢ２００は、省電力モードにおいて適用される発見動作の制限情報（例えば、発見信号の送信周期及び／又は発見信号の送信帯域）を含む要求を送信してもよい。例えば、ｅＮＢ２００は、ネットワークからセルをオフ（又はオン）するように要求された場合（上述の「（１）動作１」参照）、発見信号の送信周期及び発見信号の送信帯域を指示する報知メッセージ（例えば、ＳＩＢ）の内容を変更する。例えば、ｅＮＢ２００は、ネットワークからセルをオフするように要求された場合、発見信号の送信周期が長くなるように（省電力モードへ動作モードを切り替えるように）報知メッセージの内容を変更する。一方、ｅＮＢ２００は、ネットワークからセルをオンするように要求された場合、発見信号の送信周期を元に戻すように（通常モードへ動作モードを切り替えるように）報知メッセージの内容を変更する。
【０１５５】
なお、ｅＮＢ２００は、Ｄ２Ｄ通信の種別に応じて制御できるように、発見信号の送信周期、発見信号の送信帯域を指示する情報に加えて、対象ＵＥを特定するためのＤ２Ｄ通信の属性を示す情報（Ｄ２Ｄ通信による通話のための発見処理を行うＵＥ、Ｄ２Ｄ通信による広告情報の取得（又は配信）のための発見処理を行うＵＥ、Ｄ２Ｄ通信による広告情報を送信する端末（店舗）の情報の取得のための発見処理を行うＵＥなど）を含む報知メッセージを送信してもよい。
【０１５６】
図１７に示すように、ステップＳ３２１において、ＵＥ１００は、ｅＮＢ２００から受信したメッセージが通常モードから省電力モード（長期的スリープモード）へ動作モードを切り替えるための要求であるか否かを判定する。すなわち、ＵＥ１００は、長期的スリープを要求するメッセージを受信していた場合（「ＹＥＳの場合」）、ステップＳ３２２の処理を実行する。一方、ＵＥ１００は、長期的スリープを要求するメッセージを受信していない場合（「ＮＯの場合」）、ステップＳ３２３の処理を実行する。
【０１５７】
ステップＳ３２２において、ＵＥ１００は、メッセージに含まれる制限情報に基づいて、発見信号の送信周期を長期に設定する。
【０１５８】
一方、ステップＳ３２３において、ＵＥ１００は、ＵＥ１００は、メッセージに含まれる制限情報に基づいて、発見信号の送信周期を基準に設定する。
【０１５９】
（実施形態のまとめ）
本実施形態において、固定型のＵＥ１００が在圏するセルを管理するｅＮＢ２００が、省エネルギーのための動作を行う。ｅＮＢ２００が、省エネルギーのための動作を行う場合、ＵＥ１００が、動作モードを通常モードから省電力モードへ切り替える。これにより、省電力モードは、通常モードよりも消費電力が抑えられるため、固定型のＵＥ１００の発見動作に基づく、無駄な電力消費を抑制できる。
【０１６０】
本実施形態において、ｅＮＢ２００−１は、省エネルギーのための動作として、無線信号の送信電力を低減する。ＵＥ１００は、ｅＮＢ２００−１からの無線信号の受信電力が閾値以下になった場合、通常モードから省電力モードへ動作モードを切り替える。或いは、ＵＥ１００は、ｅＮＢ２００−２からの無線信号の受信電力が閾値以上になった場合、通常モードから省電力モードへ動作モードを切り替える。
【０１６１】
ここで、ｅＮＢ２００−１が省エネルギーのための動作を行うケースとして、ｅＮＢ２００−１におけるトラフィックが少ないケース、すなわち、ｅＮＢ２００−１と通信を行うＵＥが少ないケースがある。この場合、ｅＮＢ２００−１が管理するセルに在圏するＵＥが少ないことが想定される。従って、ＵＥ１００は、このようなケースにおいて、動作モードを通常モードから省電力モードへ切り替えることによって、発見動作に基づく、無駄な電力消費を抑制できる。
【０１６２】
本実施形態において、ＵＥ１００は、所定の時間において最大の受信電力となる無線信号を送信するｅＮＢ２００−１（或いは、ｅＮＢ２００−２）を指定ｅＮＢとして設定する。ＵＥ１００は、ｅＮＢ２００−１が省エネルギーのための動作を行う場合（或いは、ｅＮＢ２００−２からの無線信号の受信電力が閾値以上になった場合）、通常モードから省電力モードへ動作モードを切り替える。ＵＥ１００は、ｅＮＢ２００−１（或いは、ｅＮＢ２００−２）からの無線信号の受信電力が最大の受信電力でなくなった場合でも、ｅＮＢ２００−１を指定ｅＮＢとして維持する。これにより、ＵＥ１００は、自律的に指定ｅＮＢを設定することができる。
【０１６３】
本実施形態において、ＵＥ１００は、省エネルギーのための動作として、自セル内に位置するＵＥの数に関するＵＥ数情報をＵＥ１００に送信する。ＵＥ１００は、ＵＥ数情報に基づいて、通常モードから省電力モードへ動作モードを切り替える。また、ＵＥ数情報は、セル内に位置する全てのＵＥの数、単位面積当たりのＵＥの数、単位送信電力当たりのＵＥの数、接続状態のＵＥの数、アイドル状態のＵＥの数、固定型のＵＥの数、Ｄ２Ｄ通信を行うことを希望するＵＥの数、の少なくともいずれかの情報である。これにより、ＵＥ１００は、ＵＥ１００が在圏するセル内にＵＥが少ないと判断した場合に、省電力モードへ動作モードを切り替えることによって、発見動作に基づく無駄な電力消費を抑制できる。
【０１６４】
本実施形態において、ｅＮＢ２００は、ＵＥ数情報を得るための情報を要求する要求情報をブロードキャストする。ｅＮＢ２００は、要求情報への応答に基づいて、ＵＥ数情報得る。また、ＵＥ数情報を得るための情報は、ＵＥの接続状態を示す情報、固定型のＵＥであるか否かを示す情報、Ｄ２Ｄ通信を行うことを希望する情報の少なくともいずれかの情報である。これにより、ＵＥ１００は、セル内に位置するＵＥの数に関する情報を取得できるため、ＵＥ１００の周囲にＵＥが存在する確立が低い場合に、発見動作に基づく無駄な電力消費を抑制できる。
【０１６５】
本実施形態において、ＵＥ１００は、セル内に移動した場合、サーバにＵＥ１００の位置情報を登録する。ｅＮＢ２００は、サーバに登録された位置情報をサーバから取得する。ｅＮＢ２００は、取得した位置情報に基づいて、ＵＥ数情報を得る。これにより、ＵＥ１００は、セル内に位置するＵＥの数に関する情報を取得できるため、ＵＥ１００の周囲にＵＥが存在する確率が低い場合に、発見動作に基づく無駄な電力消費を抑制できる。
【０１６６】
本実施形態において、ｅＮＢ２００は、省エネルギーのための動作として、通常モードから省電力モードへ切り替えるための要求をＵＥ１００に送信する。ＵＥ１００は、当該要求に基づいて、省電力モードへ動作モードを切り替える。これにより、ＵＥ１００は、発見動作に基づく無駄な電力消費を抑制できる。
【０１６７】
本実施形態において、ｅＮＢ２００は、動作モードが省電力モードの場合において適用される発見動作の制限情報を含む要求を送信する。これにより、ＵＥ１００は、制限情報に基づいて、発見動作に基づく無駄な電力消費を抑制できる。
【０１６８】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１６９】
例えば、上述した実施形態における動作１において、ＲＳＲＰの代わりに、又は受信品質を示すＲＳＲＱを用いてもよい。
【０１７０】
また、上述した実施形態における動作１において、ステップＳ１０２において、ＵＥ１００は、指定ｅＮＢが検知できない場合、省電力モードに切り替えるための動作を行ったが、指定ｅＮＢが検知できた場合（例えば、指定ｅＮＢが、セル拡張を行うｅＮＢ２００−２である場合）に、省電力モードに切り替えるための動作を行ってもよい。
【０１７１】
また、上述した実施形態において、動作１から３は、適宜組み合わされて実施されてもよい。
【０１７２】
上述した実施形態では、Ｄ２Ｄ近傍サービスにおける動作として発見動作を説明したが、これに限られない。上述した実施形態において、「発見動作」を「Ｄ２Ｄ同期信号の送信動作」に置き換えてもよい。以下、Ｄ２Ｄ同期信号の送信動作について説明する。
【０１７３】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、上述した発見動作に相当する近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【０１７４】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【０１７５】
カバレッジ外又は部分的カバレッジでは、ＵＥ１００（固定ＵＥ１００）がＤ２Ｄ同期元となる。カバレッジ外では、Ｄ２Ｄ同期元であるＵＥ１００は、Ｄ２Ｄ同期信号を送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を運搬する。或いは、Ｄ２ＤＳＳにＤ２Ｄリソース情報を関連付けることにより、ＰＤ２ＤＳＣＨを不要としてもよい。Ｄ２Ｄ非同期元であるセルカバレッジ外に位置するＵＥ１００は、受信したＤ２Ｄ同期信号に基づいて、Ｄ２Ｄ同期元に同期する。
【０１７６】
例えば、Ｄ２Ｄ同期元であるＵＥ１００は、動作モードが省電力モードに設定されている場合、Ｄ２Ｄ同期信号の送信動作の頻度を落としたり（Ｄ２Ｄ同期信号の送信周期を長くする）、Ｄ２Ｄ同期信号における送信情報量を低減させたりする。また、省電力モードは、ｅＮＢ２００−１が省エネルギーのための動作を終了するまで、ＵＥ１００がＤ２Ｄ同期信号の送信動作を停止する長期的なスリープモードであってもよい。
【０１７７】
従って、ＵＥ１００は、動作モードが省電力モードに設定されている場合、発見動作及びＤ２Ｄ同期信号の送信動作の両方の動作に基づく無駄な電力消費を抑制してもよいし、発見動作及びＤ２Ｄ同期信号の送信動作の一方の動作に基づく無駄な電力消費を抑制してもよい。
【０１７８】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１７９】
なお、日本国特許出願第２０１３−２４４３４６号（２０１３年１１月２６日出願）の全内容が、参照により、本願明細書に組み込まれている。
【産業上の利用可能性】
【０１８０】
以上のように、本実施形態に係る通信制御方法、ユーザ端末及びプロセッサは、移動が制限されたユーザ端末の発見動作に基づく無駄な電力消費を抑制できるため、移動通信分野において有用である。
【図１】
2015080079.tif 000003
【図２】
2015080079.tif 000004
【図３】
2015080079.tif 000005
【図４】
2015080079.tif 000006
【図５】
2015080079.tif 000007
【図６】
2015080079.tif 000008
【図７】
2015080079.tif 000009
【図８】
2015080079.tif 000010
【図９】
2015080079.tif 000011
【図１０】
2015080079.tif 000012
【図１１】
2015080079.tif 000013
【図１２】
2015080079.tif 000014
【図１３】
2015080079.tif 000015
【図１４】
2015080079.tif 000016
【図１５】
2015080079.tif 000017
【図１６】
2015080079.tif 000018
【図１７】
2015080079.tif 000019
【国際調査報告】
2015080079.tif 000020
2015080079.tif 000021